(57)【特許請求の範囲】
【請求項１】
原料から湿紙を形成し、前記湿紙に香料を添加した後、前記湿紙の脱水及び乾燥を経てパルプ原反シートを得る抄紙工程と、前記パルプ原反シートを解繊し、この解繊した粉砕パルプを積繊して吸収体を製造する吸収性物品の加工工程とを含むことを特徴とする吸収性物品の製造方法。
【請求項２】
前記湿紙を多層式の円網抄紙機によって形成し、前記香料は多層に積層された紙層のうち、中間層となる紙層に添加されている請求項１記載の吸収性物品の製造方法。
【請求項３】
香料が混合された原料から湿紙を形成した後、前記湿紙の脱水及び乾燥を経てパルプ原反シートを得る抄紙工程と、前記パルプ原反シートを解繊し、この解繊した粉砕パルプを積繊して吸収体を製造する吸収性物品の加工工程とを含むことを特徴とする吸収性物品の製造方法。
【請求項４】
前記湿紙を多層式の円網抄紙機によって形成し、前記香料は多層に積層された紙層のうち、中間層となる紙層を形成する原料に混合されている請求項３記載の吸収性物品の製造方法。
【請求項５】
前記香料は、シクロデキストリン、キサンタンガム、グアーガム、ペクチンの群の中から選択されるいずれか一種以上からなる包接物質に内包されている請求項１〜４いずれかに記載の吸収性物品の製造方法。
【発明の詳細な説明】
【技術分野】
【０００１】
本発明は、香り付きの吸収体を備えた使い捨ておむつ、尿取りパッド、失禁パッド、生理用ナプキン等の吸収性物品の製造方法に関する。
【背景技術】
【０００２】
従来より、着用者が排泄をすると芳香・臭いを発生して、排泄物の臭気を和らげる或いは監護者・保護者などが着用者の排泄を知覚できるようにしたものが知られている。
【０００３】
香料を吸収性物品に添加するには、香り成分の揮発を抑制するため、香料をシクロデキストリン等からなる包接物質に内包させ、吸収性物品に塗布等されている。これは、揮発による香料ロスを防止するとともに、香り付きの吸収性物品の場合には、使用前は香りが低く抑えられ、使用中から使用後にかけては香りが強く発生し、マスキングやハーモナイズド効果を発することが品質要求としてあるためである。
【０００４】
吸収性物品への香料の添加方法としては、図８に示されるように、シクロデキストリンに包接した香料を吸収性物品の加工工程において直接吸収体に塗布するのが最も簡便な手法である。
【０００５】
この他に、図９に示されるように、香料調合工程において、香料とシクロデキストリンとの包接反応溶液を乾燥して未包接香料を揮発させ、残留した香料包接化合物の粉体を回収した後、吸収性物品の製造工程において、吸収体に直接添加するか、油系溶媒に混合して塗布するという方法もある（下記特許文献１参照）。
【０００６】
さらに、下記特許文献２では、ポリマーが濡れているとき香気の放出がポリマーの動的湿潤力により解発される香料の含浸されたヒドロゲル形成性吸収性ポリマーを作るための方法であって、（i）固体担体および香料をヒドロゲル形成性吸収性ポリマーの重合ゲル化点の前のヒドロゲル形成性吸収性ポリマーの反応中間生成物と混合する工程、（ii）香料の含浸されたヒドロゲル形成性吸収性ポリマーを形成する工程、（iii）香料の含浸されたヒドロゲル形成性吸収性ポリマーを乾燥する工程を具備する方法が開示されている。
【先行技術文献】
【特許文献】
【０００７】
【特許文献１】特開２０１３−１７７４２４号公報
【特許文献２】特許第３２２２４８０号公報
【発明の概要】
【発明が解決しようとする課題】
【０００８】
しかしながら、図８に示される香料を吸収体に直接塗布する方法では、香料が吸収体とトップシートとの層間などに局在するため、香料と体液との接触が効率的に行われず水分と反応しにくい課題があった。上記特許文献１記載のものも、香料とシクロデキストリンとの鎖体を吸収性物品を構成する層間に接着剤によって接着しているので、同様の課題がある。
【０００９】
また、上記特許文献１に記載された手法では、香料調合工程において、包接反応溶液を乾燥させる乾燥工程や、残留した香料包接化合物の粉体を回収する回収工程が別途必要になるため、製造工程が複雑化する課題があった。
【００１０】
さらに、上記特許文献２記載のものでは、香料が含浸されたヒドロゲル形成性吸収性ポリマーを吸収体に含有しているため、ポリマーの包接性が強く、ゲルブロッキングもあり、感知可能なレベルの香りを発生させるためには、多量の香料が必要となるなど、コストが増大化する課題があった。
【００１１】
そこで本発明の主たる課題は、香料と体液との接触効率を高め、少量の香料で効果的に香りを発生できるようにするとともに、製造工程を簡略化した吸収性物品の製造方法を提供することにある。
【課題を解決するための手段】
【００１２】
上記課題を解決するために請求項１に係る本発明として、原料から湿紙を形成し、前記湿紙に香料を添加した後、前記湿紙の脱水及び乾燥を経てパルプ原反シートを得る抄紙工程と、前記パルプ原反シートを解繊し、この解繊した粉砕パルプを積繊して吸収体を製造する吸収性物品の加工工程とを含むことを特徴とする吸収性物品の製造方法が提供される。
【００１３】
上記請求項１記載の発明は、パルプ原反シートに香料を添加する第１形態例であり、湿紙を形成した後、この湿紙に香料を添加したものである。その後、吸収性物品の加工工程において前記香料が添加されたパルプ原反シートを解繊し、この解繊した粉砕パルプを積繊して吸収体を製造することにより、香料が吸収体の全体に亘ってほぼ均一に分散し、使用時に香料と体液との接触効率が高まり、少量の香料で効果的に香りを発することができるようになる。
【００１４】
また、抄紙工程で湿紙を乾燥させるのと同時に、未包接香料が揮発するため、香料を調合する工程で乾燥工程や回収工程を別途設ける必要が無くなり、製造工程が簡略化できる。
【００１５】
請求項２に係る本発明として、前記湿紙を多層式の円網抄紙機によって形成し、前記香料は多層に積層された紙層のうち、中間層となる紙層に添加されている請求項１記載の吸収性物品の製造方法が提供される。
【００１６】
上記請求項２記載の発明では、多層式の円網抄紙機によって抄紙する場合において、複数の紙層からなる湿紙のうち、中間層となる紙層に前記香料を添加している。これにより、香料が添加された中間層の両面にそれぞれ表層の紙層が被覆するため、香料の揮発が抑えられるとともに、抄紙フェルトに香料が移行して香料ロスや次生産品への香り付着などが防止できるようになる。
【００１７】
請求項３に係る本発明として、香料が混合された原料から湿紙を形成した後、前記湿紙の脱水及び乾燥を経てパルプ原反シートを得る抄紙工程と、前記パルプ原反シートを解繊し、この解繊した粉砕パルプを積繊して吸収体を製造する吸収性物品の加工工程とを含むことを特徴とする吸収性物品の製造方法が提供される。
【００１８】
上記請求項３記載の発明は、パルプ原反シートに香料を添加する第２形態例であり、予め香料を原料に混合しておき、この香料が混合された原料で湿紙を形成したものである。
【００１９】
請求項４に係る本発明として、前記湿紙を多層式の円網抄紙機によって形成し、前記香料は多層に積層された紙層のうち、中間層となる紙層を形成する原料に混合されている請求項３記載の吸収性物品の製造方法が提供される。
【００２０】
上記請求項４記載の発明では、多層式の円網抄紙機によって抄紙する場合において、複数の紙層からなる湿紙のうち、中間層となる湿紙の原料に香料を混合している。
【００２１】
請求項５に係る本発明として、前記香料は、シクロデキストリン、キサンタンガム、グアーガム、ペクチンの群の中から選択されるいずれか一種以上からなる包接物質に内包されている請求項１〜４いずれかに記載の吸収性物品の製造方法が提供される。
【００２２】
上記請求項５記載の発明では、香料の包接物質として用いるのに好ましいものを列挙している。
【発明の効果】
【００２３】
以上詳説のとおり本発明によれば、香料と体液との接触効率が高まり、少量の香料で効果的に香りが発生できるとともに、製造工程が簡略化できるようになる。
【図面の簡単な説明】
【００２４】
【図１】第１形態例に係る抄紙工程を示す概略図である。
【図２】吸収体製造装置を示す概略図である。
【図３】第１形態例に係る吸収性物品の製造要領を示す流れ図である。
【図４】第２形態例に係る抄紙工程を示す概略図である。
【図５】第２形態例に係る吸収性物品の製造要領を示す流れ図である。
【図６】参考形態例に係る吸収体製造装置を示す概略図である。
【図７】参考形態例に係る吸収性物品の製造要領を示す流れ図である。
【図８】従来の吸収性物品の製造要領を示す流れ図（その１）である。
【図９】従来の吸収性物品の製造要領を示す流れ図（その２）である。
【発明を実施するための形態】
【００２５】
以下、本発明の実施の形態について図面を参照しながら詳述する。
【００２６】
本発明に係る吸収性物品は、有孔または無孔の不織布や孔開きプラスチックシート等からなる透液性トップシートとポリエチレン等からなる不透液性の防漏シートとの間に、綿状パルプ等からなる吸収体が介在された構造を備えるものであり、具体的には、使い捨ておむつ、尿取りパッド、失禁パッド、生理用ナプキン等が例示できる。
【００２７】
本吸収性物品は、前記吸収体が、抄紙工程で得られたパルプ原反シートを解繊し、この解繊された粉砕パルプを積繊することにより構成されるとともに、解繊前の前記パルプ原反シートに香料を添加することにより、吸収体に香料が添加されたものである。
【００２８】
前記香料としては、体液との接触によりはじめて香りを発し、接触前はほとんど香りを発しないように構成されたものを用いるのが好ましく、具体的には、香料成分自体が水分と反応して香りを発するもの、香料を包接物質に内包したものなどによって構成することができる。このうち、揮発による香料ロスを防止するとともに、使用前には香りが低く抑えられており、使用中から使用後にかけては香りが強く発生し、マスキングやハーモナイズド効果を発するという香り付きの吸収性物品に要求される品質を満たすため、香料を包接物質に内包したものとするのが好ましい。この香料は、前記吸収体に所定の方法で添加されている。
【００２９】
前記香料としては、天然香料及び合成香料のいずれを用いてもよく、これらを組み合わせて使用してもよい。香料の具体例としては、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を挙げることができるが、特にこれらに限定されるものではない。香料として市販品のものを広く使用することもできる。前記香料は、揮発性の高い香料を使用するのが好ましい。
【００３０】
また、前記香料として、香料自体に消臭効果があるものや、排泄物の不快臭と調和して新たに不快を感じさせない香りを発生させるハーモナイズド香料を使用することも可能である。
【００３１】
香料成分自体が水分と反応して香りを発するものとしては、香料ベースをアルコールと水で溶解、抽出した飲料などに使用される水溶性香料（エッセンス）などがある。
【００３２】
前記香料は、シクロデキストリン、キサンタンガム、グアーガム、ペクチンの群の中から選択されるいずれか一種以上からなる包接物質で内包するのが好ましい。特に、シクロデキストリンは、香りを発するだけでなく、排泄物の臭い成分を吸着するのに有効であるため好ましい。
【００３３】
このように、解繊前のパルプ原反シートに前記香料を添加することにより、以下の効果が奏される。
【００３４】
先ず第１に、本吸収性物品では、前記香料が添加されたパルプ原反シートを製造しておき、このパルプ原反シートを解繊し、解繊された粉砕パルプを積繊することにより前記吸収体が製造されるため、香料が吸収体の全体にほぼ均一に分散されるようになる。従って、従来のように所定の層間に香料が局在したものに比べ、吸収性物品の使用時に、香料と体液との接触効率が高まり、香りが発生しやすくなるとともに、少量の香料で効果的に香りが発生できるようになる。
【００３５】
第２に、パルプ原反シートの抄紙工程において、湿紙を乾燥させる前のウェットパートに香料を添加した場合には、抄紙工程の湿紙を乾燥させるのと同時に未包接香料を揮発させることが可能となるため、香料を調合する工程で、包接反応溶液を乾燥させる乾燥工程や、残留した香料包接化合物を回収する回収工程（図９参照。）を別途設ける必要が無くなり、製造工程が簡略化できるようになる。
【００３６】
本明細書において、前記「包接物質」とは、自身の分子構造の内部空間に他の物質を取り込む作用を持つ物質を意味し、「包接化合物」とは、包接物質が香料等の被包接物質を取り込んだ状態の物質を意味する。
【００３７】
次に、本吸収性物品の製造方法のうち、吸収体の製造方法について詳細に説明する。
【００３８】
〔第１形態例〕
第１形態例に係る吸収性物品の製造方法は、図１及び図３に示されるように、円網抄紙機１によって、原料Ｐから湿紙２を形成し、前記湿紙２に香料３を添加した後、前記湿紙２の脱水及び乾燥を経てパルプ原反シート４を得る抄紙工程と、図２及び図３に示されるように、吸収体製造装置２０によって、前記パルプ原反シート４を解繊し、この解繊した粉砕パルプ５を積繊して吸収体６を製造する吸収性物品の加工工程とを含んでいる。また、本製造方法では、図３に示されるように、香料と包接物質との水溶液を撹拌タンク内で混合し、香料を包接物質によって被覆する香料調合工程を備えている。
【００３９】
前記抄紙工程で使用される抄紙機としては、円網抄紙機や長網抄紙機など公知の抄紙機を使用できるが、図１に示されるように、円網抄紙機１を用いるのが好ましい。
【００４０】
前記円網抄紙機１は、図１に示されるように、ワイヤー部、プレス部、ドライヤー部、リール部を備えたもので、基本構造において従来のものと変わらないものを使用できる。
【００４１】
前記円網抄紙機１の前記ワイヤー部について簡単に説明すると、上面が開放された槽をなし、内部に吸収体６の原料となるパルプなどの繊維材料からなる原料Ｐが水に分散されて貯留された抄槽７と、前記抄槽７内の原料液中を回転し、表面の抄網に湿紙を形成する円網シリンダー８と、前記円網シリンダー８の表面に形成された湿紙を抄紙フェルト９に移し取るクーチロール１０とからなる円網抄紙部１１が流れ方向に複数段に亘って、好ましくは３段以上、図示例では５段で備えられている。前記円網抄紙部１１を複数段設けることにより、各段の円網シリンダー８によって移し取られた紙層が順次積層されて、多層に抄き合わされたパルプ原反シート４を得ることができるようになる。
【００４２】
図１に示されるように、前記湿紙２を多層式の円網抄紙機１によって形成する場合、前記香料３は、多層に積層される紙層のうち、中間層となる紙層に添加するのが好ましい。すなわち、図示例のように、５段の円網抄紙部１１、１１…を設けた場合、上流側から２段目〜４段目の円網抄紙部１１によって形成された紙層に対しそれぞれ香料３を添加し、最上流側の１段目及び最下流側の５段目の円網抄紙部１１によって形成された紙層に対しては、香料３を添加しない構造とするのが好ましい。
【００４３】
これにより、香料３が添加された中間の紙層の両面がそれぞれ表層の紙層で被覆されるため、香料３の揮発が抑えられるとともに、抄紙フェルト９に香料が移行して香料ロスや次生産品への香りの付着などが発生するのが防止できるようになる。
【００４４】
前記香料３を湿紙に添加するには、別途香料調合工程において、香料３を水又は油系溶媒に混合するとともに、前記包接物質を添加した香料含有溶液を調合し、図１に示されるように、この香料含有溶液を噴射ノズル１２からスプレー塗布するのが好ましい。
【００４５】
前記香料含有溶液の構成例としては、水８８．４重量％、α−シクロデキストリン１０．３重量％、香料１重量％、キサンタンガム０．３重量％とすることができる。ここで、包接物質としてα−シクロデキストリンとともにキサンタンガムを添加することにより、香料のα−シクロデキストリンへの包接性が高まり、水分を含んだ湿紙２に塗布した直後に一時的に水分率が上昇することによって香料が離脱するのが抑制できる。
【００４６】
前記香料３の塗布量の具体例としては、５段の円網抄紙部１１を備えた円網抄紙機１によって、１層当たり１３０ｇ／ｍ２、５層で合計６５０ｇ／ｍ２のパルプ原反シート４を抄紙する場合、湿紙２のうち中間の３層の紙層にそれぞれ１３ｇ／ｍ２、合計３９ｇ／ｍ２の香料含有溶液をスプレー塗布することができる。これは、標準的なベビー用の使い捨ておむつに使用される吸収体の重量６ｇに対し、香料含有溶液が０．３６ｇ（香料単体では、０．００３６ｇ）となる計算である。ただし、本技術はベビー用の使い捨ておむつに限るものではなく、大人用などの広く一般的な使い捨ておむつにも有効である。
【００４７】
次いで、前記吸収性物品の加工工程のうち、吸収体６の製造工程について詳細に説明すると、吸収体６の製造には、図２に示されるように、吸収体製造装置２０が用いられる。前記吸収体製造装置２０は、外周面に周方向に適宜の間隔で複数の積繊集積用凹部が形成された積繊用回転ドラム２１と、パルプ原反シート４を粉砕する解繊装置２２と、該解繊装置２２で粉砕された粉砕パルプ５を空気流に乗せて前記積繊用回転ドラム２１まで搬送するための繊維供給路２３とから構成されている。なお、図示しないが、前記繊維供給路２３にポリマー投入口を設け、所定量の割合でポリマー粒子等を粉砕パルプ５中に混合するようにしてもよい。
【００４８】
前記吸収体製造装置２０では、前記抄紙工程で抄造されたパルプ原反シート４から繰り出されたシートが前記解繊装置２２に導入され、細かく粉砕される。粉砕された粉砕パルプ５は、積繊用回転ドラム２１からの吸引作用によって前記繊維供給路２３を構成するケーシング内を空気流に乗って下流側の積繊用回転ドラム２１まで搬送され、積繊用回転ドラム２１に形成された繊維集積用凹部に堆積する。
【００４９】
前記吸収体製造装置２０を用いて製造された吸収体６は、香料３が添加されたパルプ原反シート４を前記解繊装置２２で細かく粉砕した後、堆積させることにより形成されるため、香料３が吸収体６の厚み方向及び平面方向の全体に亘ってほぼ均一に分散するようになる。
【００５０】
〔第２形態例〕
第２形態例に係る吸収性物品の製造方法は、図４及び図５に示されるように、予め原料液に香料３を混合しておき、この香料３が混合された原料Ｐから湿紙２を形成した後、前記湿紙２の脱水及び乾燥を経てパルプ原反シート４を得る抄紙工程と、前記パルプ原反シート４を解繊し、この解繊した粉砕パルプ５を積繊して吸収体６を製造する吸収性物品の加工工程とを含むものである。
【００５１】
前記香料３は、図４に示されるように、前記円網抄紙機１を用いる場合、円網抄紙部１１の抄槽７に貯留された原料Ｐ内に添加される。前記香料３を添加するには、上記第１形態例と同様に、香料調合工程において、香料３を水又は油系溶媒に混合するとともに、前記包接物質を添加した香料含有溶液を調合した上で添加する。
【００５２】
これによって、湿紙２に香料３が均一に分散した状態で添加されるため、パルプ原反シート４を解繊して吸収体６を製造することにより、吸収体６内に香料３がより均一に分散するようになる。
【００５３】
図４に示されるように、５段の円網抄紙部１１、１１…が備えられた多層式の円網抄紙機１を用いた場合、最上流側の１段目及び最下流側の５段目の円網抄紙部１１、１１を除く、中間の２段目〜４段目の円網抄紙部１１、１１…の抄槽７内に、前記香料３を添加するのが好ましい。これにより、上記第１形態例と同様に、香料３の揮発が抑えられるとともに、抄紙フェルト９に香料が移行するのが防止できるようになる。
【００５４】
前記香料３を添加した香料含有溶液の構成例としては、上記第１形態例と同様とすることができる。前記香料含有溶液の添加量は、１％の原料Ｐに対し、２．０〜４．０ｋｇ／ｔ、好ましくは３．０ｋｇ／ｔ程度とするのがよい。上記の割合で構成した香料３を、１％の原料Ｐに３．０ｋｇ／ｔの量で添加した場合、標準的なベビー用の使い捨ておむつに用いられる吸収体６ｇに対し、香料含有溶液３が１．０８ｇ配合される計算になる。ただし、本技術はベビー用の使い捨ておむつに限るものではなく、大人用などの広く一般的な使い捨ておむつにも有効である。
【００５５】
〔参考形態例〕
参考形態例に係る吸収性物品の製造方法は、図６及び図７に示されるように、原料Ｐから湿紙２を形成した後、前記湿紙２の脱水及び乾燥を経てパルプ原反シート４を得る抄紙工程と、前記パルプ原反シート４に香料３を添加した後、前記パルプ原反シート４を解繊し、この解繊した粉砕パルプ５を積繊して吸収体６を製造する吸収性物品の加工工程とを含むものである。
【００５６】
本製造方法では、通常の抄紙工程によってパルプ原反シート４を製造した後、パルプ原反シート４を解繊する直前に香料３を添加しているため、パルプ原反シート４に対する香料３の添加が比較的容易となり、製造工程を簡略化できるようになる。
【００５７】
また、香料３を添加したパルプ原反シート４の解繊工程では、未包接の香料が揮発する乾燥効果も期待できる。つまり、パルプ原反シート４を解繊する工程と、細かく解繊された粉砕パルプ５が空気流に乗って積繊ドラムに達するまでの工程で、若干の乾燥効果を有している。この乾燥効果は、上記第１形態例及び第２形態例ほどではないが、通常の製造方法に比べて高くなっている。このことは、後段で詳述する実施例（表１）に示されるように、比較例３（参考形態例）の使用前の香りの強さが実施例１（上記第１形態例）や実施例２〜４（上記第２形態例）ほど低くはないが、比較例１、２と比べると低くなっている（１．０→０．８）ことからも明らかである。
【００５８】
前記香料３の添加は、香料がパルプ原反シート４の表面に均一に分散するように、香料３を水等に混合した香料含有溶液を調合しておき、この香料含有溶液を塗布装置２４によってスプレー塗布等するのが好ましい。このとき、前記香料含有溶液を塗布したことにより製造された吸収体６の水分量が高まりカビの発生が懸念されるため、カビ発生の防止対策として、香料含有溶液に防腐剤を添加するのが好ましい。
【００５９】
前記香料含有溶液の構成例としては、水８６．９重量％、α−シクロデキストリン１０．３重量％、香料１重量％、防腐剤１．８重量％とすることができる。前記香料含有溶液の塗布量は、３９ｇ／ｍ２とすることができる。これは、標準的なベビー用の使い捨ておむつに使用される吸収体６ｇ当たりに香料含有溶液が０．３６ｇ配合される量となる。ただし、本技術はベビー用の使い捨ておむつに限るものではなく、大人用などの広く一般的な使い捨ておむつにも有効である。
【実施例】
【００６０】
表１に示されるように、吸収体の製造方法に係る上記形態例に準じて吸収体を手作りにて製造し（パルプ原反シートを手漉き、シート粉砕、吸収体形成、各々の工程で香料を添加）、使用前後の香りの強さを相対的に評価した。
【００６１】
前記香料含有溶液は、Ａ溶液として、水８８．４％、α−シクロデキストリン１０．３％、香料１．０％、キサンタンガム０．３％からなるものを使用し、Ｂ溶液として、水８６．９％、α−シクロデキストリン１０．３％、香料１．０％、防腐剤１．８％からなるものを使用した。実施例１〜４及び比較例１では前記Ａ溶液を、比較例３及び比較例２では前記Ｂ溶液を用いた。
【００６２】
吸収体の作成手順は、次のとおりである。
手順１：(1)イオン交換水にＮＢＫＰを懸濁し１％溶液を作成する。(2)角型シートマシン（２５ｃｍ×２５ｃｍ）で坪量１３０ｇ／ｍ２の手漉きシート（パルプ原反シート）を作製する（ＮＢＫＰ１％溶液を濾水層で撹拌し濾水→香料含有溶液をスポイトでシート全体に滴下→プレス・ドライヤー乾燥）。(3)調理用ミキサーで前記シートを綿状に粉砕する。(4)粉砕パルプ６ｇと吸収性ポリマー１０ｇとを混合し、幅１０ｃｍ×長さ３５ｃｍ×厚み１ｃｍの吸収体を作成する。(5)前記吸収体を坪量１８ｇ／ｍ２のクレープ紙で包装する。(6)その外周を更に坪量１８ｇ／ｍ２の親水性不織布で包装する。
【００６３】
手順２：(1)イオン交換水にＮＢＫＰを懸濁し１％溶液を作成する。(2)この溶液に香料含有溶液を添加する。(3)角型シートマシン（２５ｃｍ×２５ｃｍ）で坪量１３０ｇ／ｍ２の手漉きシート（パルプ原反シート）を作製する（香料含有ＮＢＫＰ１％溶液を濾水層で撹拌し濾水→プレス・ドライヤー乾燥）。(4)以下、手順１の(3)〜(6)と同じ。
【００６４】
手順３：(1)イオン交換水にＮＢＫＰを懸濁し１％溶液を作成する。(2)角型シートマシン（２５ｃｍ×２５ｃｍ）で坪量１３０ｇ／ｍ２の手漉きシート（パルプ原反シート）を作製する（ＮＢＫＰ１％溶液を濾水層で撹拌し濾水→プレス・ドライヤー乾燥→香料含有溶液をスポイトでシート全体に滴下）。(3)以下、手順１の(3)〜(6)と同じ。
【００６５】
手順４：(1)イオン交換水にＮＢＫＰを懸濁し１％溶液を作成する。(2)角型シートマシン（２５ｃｍ×２５ｃｍ）で坪量１３０ｇ／ｍ２の手漉きシート（パルプ原反シート）を作製する（ＮＢＫＰ１％溶液を濾水層で撹拌し濾水→プレス・ドライヤー乾燥）。(3)調理用ミキサーで前記シートを綿状に粉砕する。(4)粉砕パルプ６ｇと吸収性ポリマー１０ｇとを混合し、幅１０ｃｍ×長さ３５ｃｍ×厚み１ｃｍの吸収体を作成する。(5)香料含有溶液をスポイトで吸収体全体に滴下する。(6)前記吸収体を坪量１８ｇ／ｍ２のクレープ紙で包装する。(7)その外周を更に坪量１８ｇ／ｍ２の親水性不織布で包装する。
【００６６】
上記手順１〜３では、手漉きシート（パルプ原反シート）を作製した後、シートを温度２５℃、湿度５０％の恒温室内に１週間静置した。また、上記手順４では、親水性不織布で包装した後、吸収体を温度２５℃、湿度５０％の恒温室内に１週間静置した。
【００６７】
香りの強さの評価方法は、使用前の香りの強さと、使用後の香りの強さをそれぞれ官能評価し、比較例１の使用前の香りの強さを１．０として相対評価した。
【００６８】
使用前の香りの強さは、上記手順で作成した吸収体をそれぞれチャック付きビニール袋に入れ、チャックを閉じてから５分後にチャックを開け、袋内の香りを嗅いだときの香りの強さを５段階（０、０．５、１．０、１．５、２．０点）で評価した。これを３０人（Ｎ＝３０）の評価者に行い、平均点を使用前の香りの強さとした。
【００６９】
使用後の香りの強さは、吸収性物品の装着時に体液によって吸収体が湿潤したときを想定した香りの強さであり、上記手順で作成した吸収体に対し、１５０ｃｃのイオン交換水を吸収体全体に均一に吸収させ、チャック付きビニール袋に入れ、チャックを閉じてから５分後にチャックを開け、袋内の臭いを嗅いだときの香りの強さを５段階（０、０．５、１．０、１．５、２．０点）で評価した。これを３０人（Ｎ＝３０）の評価者に行い、平均点を使用後の香りの強さとした。
【００７０】
香りの強さの相対評価は、使用前後のそれぞれの香りの強さ（平均値）を、比較例１の使用前の香りの強さを１．０とした比率に換算することにより行う。数値が高い程、香りが強いことを表している。
【００７１】
その結果、表１に示されるように、本発明に係る実施例１〜４は、香料を吸収体に散布した比較例１、２と比べて、使用前の香りが抑えられ、使用後に十分な香りが感じられる結果が得られた。また、比較例３は、水分と効率的に反応し、比較例２の使用後の香りの強さよりも強い香りを発生させる結果となった。
【表１】
0005945056.tif 000002
【符号の説明】
【００７２】
１…円網抄紙機、２…湿紙、３…香料、４…パルプ原反シート、５…粉砕パルプ、６…吸収体、７…抄槽、８…円網シリンダー、９…抄紙フェルト、１０…クーチロール、１１…円網抄紙部、２０…吸収体製造装置、２１…積繊用回転ドラム、２２…解繊装置、２３…繊維供給路、Ｐ…原料
【要約】
【課題】香料と体液との接触効率を高め、少量の香料で効果的に香りを発生できるようにするとともに、製造工程を簡略化する。
【解決手段】パルプ原反シート４を解繊し、解繊された粉砕パルプ５を積繊してなる吸収体６を備え、解繊前の前記パルプ原反シート４に香料３を添加する。製造方法としては、原料Ｐから湿紙２を形成し、前記湿紙２に香料３を添加した後、前記湿紙２の脱水及び乾燥を経てパルプ原反シート４を得る抄紙工程と、前記パルプ原反シート４を解繊し、この解繊した粉砕パルプ５を積繊して吸収体６を製造する吸収性物品の加工工程とを含む。
【選択図】図１【図１】
0005945056.tif 000003
【図２】
0005945056.tif 000004
【図３】
0005945056.tif 000005
【図４】
0005945056.tif 000006
【図５】
0005945056.tif 000007
【図６】
0005945056.tif 000008
【図７】
0005945056.tif 000009
【図８】
0005945056.tif 000010
【図９】
0005945056.tif 000011